(57)【要約】【課題】  高精度の水晶発振子を備えた時計端末器を用いることなく、容易に時刻の設定ができ、しかも時刻の補正が可能な設備機器制御システムを提供する。【解決手段】  リモコン３０は、操作部３１の操作により秒単位を除く時刻が設定されるとその時刻を保持し、送信操作を確認したときは前記時刻を制御装置１０に送信すると共に、その時刻を現在時刻としてゼロ秒から計時を開始し、時刻計時中に送信操作を確認したときは秒単位を含む時刻を制御装置１０に送信し、制御装置１０は、秒単位を除く時刻が受信されたとき、受信時刻を現在時刻としてゼロ秒から計時を開始し、秒単位を含む時刻が受信されたときは、受信時刻を現在時刻として計時を継続する。【選択図】        図１
2006234717.tif 000002
【特許請求の範囲】
【請求項１】
複数の設備機器がそれぞれ接続され、予め設定された制御スケジュールに基づいて各設備機器をそれぞれ制御する複数の制御装置と、操作部の操作に基づいて前記制御スケジュールを作成し各制御装置に設定する設定器とからなり、
前記設定器は、操作部の操作により秒単位を除く時刻が設定されるとその時刻を保持し、送信操作を確認したときは前記時刻を前記制御装置に送信すると共に、その時刻を現在時刻としてゼロ秒から計時を開始し、時刻計時中に送信操作を確認したときは秒単位を含む時刻を前記制御装置に送信し、
前記制御装置は、秒単位を除く時刻が受信されたとき、受信時刻を現在時刻としてゼロ秒から計時を開始し、秒単位を含む時刻が受信されたときは、受信時刻を現在時刻として計時を継続し、その現在時刻を制御スケジュール実行の判別情報とすることを特徴とする設備機器制御システム。
【請求項２】
前記設定器は、表示部を有し、受信操作を確認したとき前記制御装置側で計時されている時刻を受信して前記表示部に表示すると共にその受信時刻を現在時刻として計時を継続し、その後、送信操作を確認したときは秒単位を含む時刻を前記制御装置に送信することを特徴とする請求項１記載の設備機器制御システム。
【請求項３】
前記設定器は、所定期間毎に時刻を所定時間ずらす補正データを有し、時刻の補正操作を確認したときにその補正データを前記制御装置に送信し、
前記制御装置は、補正データが受信されると、所定期間毎に時刻を所定時間ずらして補正することを特徴とする請求項１又は２記載の設備機器制御システム。
【請求項４】
前記制御装置は、秒単位を除く時刻が受信されたとき、その受信時刻を現在時刻としてゼロ秒から計時を開始すると共に、その現在時刻を隣接する他の制御装置に送信することを特徴とする請求項１乃至３の何れかに記載の設備機器制御システム。
【請求項５】
前記制御装置は、秒単位を含む時刻が受信されたとき、その受信時刻を現在時刻として計時を継続すると共に、その現在時刻を隣接する他の制御装置に送信することを特徴とする請求項１乃至４の何れかに記載の設備機器制御システム。
【発明の詳細な説明】
【技術分野】
【０００１】
本発明は、制御スケジュールに基づいて設備機器の照明器具などを自動的に制御する設備機器制御システムに係わり、さらに詳しくは、制御スケジュールを正確に実行させるための時刻を設定する設備機器制御システムに関するものである。
【背景技術】
【０００２】
タイムスケジュール制御を行うシステムとして、タイムスケジュールをデータとして有する汎用パソコンと、このパソコンに伝送線を介して接続された時計端末器及び制御端末器とからなるものがある。汎用パソコンは、タイムスケジュールに基づいて制御端末器に制御データを送信し、制御端末器は、その制御データに基づいて負荷の照明器具を点灯或いは消灯する。一方、時計端末器は、汎用パソコンが正確な時刻でタイムスケジュールを実行できるように、温度補償型水晶発振子を基準クロックとする時刻計数部で時刻を計数し、この時刻が特定時刻（「００」秒と「３０」秒）になる毎に同期信号を汎用パソコンに送信して、そのパソコンの時計回路の時刻を補正するようにしている（例えば、特許文献１参照）。
【特許文献１】特開２００２−１４１８６（第３−４頁、図１，２）
【発明の開示】
【発明が解決しようとする課題】
【０００３】
前述した従来のシステムでは、汎用パソコンに内蔵されている時計回路の時刻を正確にするために、高精度の水晶発振子を備えた時計端末器をシステム上に用いているが、システム全体として高価となっている。
本発明は、かかる課題を解決するためになされたもので、高精度の水晶発振子を備えた時計端末器を用いることなく、容易に時刻の設定ができ、しかも時刻の補正が可能な設備機器制御システムを提供することを目的とする。
【課題を解決するための手段】
【０００４】
本発明に係る設備機器制御システムは、複数の設備機器がそれぞれ接続され、予め設定された制御スケジュールに基づいて各設備機器をそれぞれ制御する複数の制御装置と、操作部の操作に基づいて制御スケジュールを作成し各制御装置に設定する設定器とからなり、設定器は、操作部の操作により秒単位を除く時刻が設定されるとその時刻を保持し、送信操作を確認したときは前記時刻を制御装置に送信すると共に、その時刻を現在時刻としてゼロ秒から計時を開始し、時刻計時中に送信操作を確認したときは秒単位を含む時刻を制御装置に送信し、制御装置は、秒単位を除く時刻が受信されたとき、受信時刻を現在時刻としてゼロ秒から計時を開始し、秒単位を含む時刻が受信されたときは、受信時刻を現在時刻として計時を継続し、その現在時刻を制御スケジュール実行の判別情報とする。
【０００５】
また、設定器は、所定期間毎に時刻を所定時間ずらす補正データを有し、時刻の補正操作を確認したときにその補正データを制御装置に送信し、制御装置は、補正データが受信されると、所定期間毎に時刻を所定時間ずらして補正する。
【発明の効果】
【０００６】
本発明においては、設定器は、操作部の操作により秒単位を除く時刻が設定されるとその時刻を保持し、送信操作を確認したときは前記時刻を制御装置に送信すると共に、その時刻を現在時刻としてゼロ秒から計時を開始し、時刻計時中に送信操作を確認したときは秒単位を含む時刻を制御装置に送信し、制御装置は、秒単位を除く時刻が受信されたとき、受信時刻を現在時刻としてゼロ秒から計時を開始し、秒単位を含む時刻が受信されたときは、受信時刻を現在時刻として計時を継続するようにしたので、複数の制御装置１０に対して同一の時刻を容易に設定することができる。
【０００７】
また、本発明においては、設定器は、時刻の補正操作を確認したとき、所定期間毎に時刻を所定時間ずらす補正データを制御装置に送信し、制御装置は、補正データが受信されると、所定期間毎に時刻を所定時間ずらして補正するようにしたので、制御装置１０に比較的精度の低い水晶発振子を用いてもその間の時刻誤差を極力抑えることができる。
【発明を実施するための最良の形態】
【０００８】
図１は本発明の実施の形態を示す設備機器制御システムの概略構成図である。
本システムは、複数の制御装置１０と、各制御装置１０に伝送線４０を介して接続された複数の設備機器である照明器具２０と、設定器のリモコン３０とからなっている。各制御装置１０は、例えば、制御信号を複数の照明器具２０に配信するための伝送線４０が接続された伝送Ｉ／Ｆ１１と、無線信号を変復調するモデム（例えば赤外線送受信器など）、信号増幅器などを有する送受信部１２と、水晶発振子を備えた時刻計数部１３と、照度センサ１４と、マイクロコンピュータ１５（以下、単に「マイコン」という）とを有している。なお、前述した伝送Ｉ／Ｆ１１から送信される信号は、制御対象の照明器具２０を制御する信号の他に、照明器具２０の明るさを直接調整する調光信号などとしてもよい。
【０００９】
制御装置１０のマイコン１５は、リモコン３０により設定された制御スケジュールに基づいて伝送線４０上の複数の照明器具２０を制御（全光点灯、調光点灯、消灯など）する。制御開始は、図示していないが、制御スケジュール上に記載された時刻と時刻計数部１３の時刻とが一致したときに行う。また、送受信部１２を通じて曜日と秒単位を除く時刻とが受信されると、曜日を時刻計数部１３にセットし、受信時刻を現在時刻として時刻計数部１３にセットしてゼロ秒から計時を開始させ、また、秒単位を含む時刻が受信されたときは、受信時刻を現在時刻として時刻計数部１３にセットし、その時刻の計時を継続させる。後述する補正データが受信されたときは、その補正データに基づいて時刻計数部１３の時刻を補正する。また、時刻の読出を受けたときは、時刻計数部１３により計時されている現在時刻（秒単位含む）を送受信部１２から送信する。
【００１０】
リモコン３０は、各種の操作ボタンが配列された操作部３１と、液晶表示部３２と、無線信号（例えば電波、赤外線などの電磁波）を変復調するモデム（例えば赤外線送受信器など）、信号増幅器などを有する送受信部３３と、水晶発振子を備えた時刻計数部３５と、マイクロコンピュータ３５（以下、単に「マイコン」という）とを有している。なお、図中に示すリモコン３０は、扉を開けた状態を示している。リモコン３０のマイコン３５は、操作部３１の時刻設定ボタン３１ａが長押しされると時刻設定画面を液晶表示部３２に表示し、その後、そのボタン３１ａの操作に応じて曜日を時刻設定画面に表示する。また、調光設定用の明暗ボタン３１ｂの操作に基づいて「時・分」の時刻（秒単位を除く）を時刻設定画面に表示すると共にその時刻を保持し、その後、送信ボタン３１ｃが押されたときは、保持した曜日と時刻とを送信対象の制御装置１０に送受信部３３を介して送信すると共に、保持した時刻を現在時刻としてゼロ秒から計時を開始する。
【００１１】
また、受信ボタン３１ｄが押されたときは、時刻読出信号を送信対象の制御装置１０に送受信部３３を介して送信し、その読出信号により計時中の時刻が受信されると時刻設定画面に表示する。この時、受信時刻を現在時刻として計時を継続する。この状態において送信ボタン３１ｃが押されたときは、計時中の時刻（秒単位を含む）を送信対象の制御装置１０に送受信部３３を介して送信し、現在時刻として計時させる。また、項目ボタン３１ｅの操作により例えば「８６」のコードが選択されたときは、月毎に２秒ずつ進める補正データを送信対象の制御装置１０に送受信部３３を介して送信し、「８７」のコードが選択されたときは、月毎に２秒ずつ遅らせる補正データを送信対象の制御装置１０に送信する。この時間の調整は、時刻計数部１３に内蔵された水晶発振子の精度に応じて決定される。なお、前述した送信対象の制御装置１０とは、作業者によって向けられたリモコンの先端部（送受信部３３が設けられている部分）と対向する制御装置１０のことである。
【００１２】
次に、本実施の形態の動作を図２及び図３を参照しながら説明する。図２は時刻設定時の時刻設定画面の一例を示す図、図３は時刻受信時の時刻設定画面の一例を示す図、図４は時刻補正時の時刻設定画面の一例を示す図である。
リモコン３０の時刻設定ボタン３１ａを長押しすると、マイコン３５は、図２（ａ）に示すように時刻設定画面を液晶表示部３２に表示する。その後、その時刻設定ボタン３１ａを押下して曜日を選択し、調光設定用の明暗ボタン３１ｂで時刻（秒単位を除く）を設定すると、マイコン３５は、曜日と時刻とを時刻設定画面に表示すると共に保持する。例えば曜日が月曜で、時刻が１０時の場合は、図２（ｂ）に示すように表示する。曜日は時刻設定ボタン３１ａが押下される毎に「日」から順次に右側にシフトしながら表示し、時刻は２つの明暗ボタン３１ｂの組合せ操作で設定される。曜日と時刻の設定の後に送信ボタン３１ｃを押すと、マイコン３５は、保持した曜日と時刻（秒単位を除く）とをデータとして送受信部３３を介して制御装置１０に送信し、保持した時刻を現在時刻としてゼロ秒から計時を開始する。送信対象の制御装置１０は、前述したようにリモコン３０の送受信部３３と対向する制御装置１０となる。
【００１３】
一方、制御装置１０の送受信部１２に曜日と秒単位を除く時刻とが受信されると、マイコン１５は、曜日を時刻計数部１３にセットし、受信時刻を現在時刻として時刻計数部１３にセットしてゼロ秒から計時を開始させる。また、リモコン３０の時刻設定ボタン３１ａを長押しして液晶表示部３２に再び時刻設定画面を表示させ（図３（ａ）参照）、リモコン３０を先の制御装置１０に向けて受信ボタン３１ｄを押すと、マイコン３５は、その操作に基づく時刻読出信号を送信する。その制御装置１０に時刻読出信号が受信されると、マイコン１５は、時刻計数部１３により計時されている時刻（秒単位含む）を送受信部１２から送信し、リモコン３０に受信させる。この時、リモコン３０のマイコン３５は、制御装置１０から送られてきた時刻を液晶表示部３２に表示すると共に（図３（ｂ）参照）、受信時刻を現在時刻として時刻計数部１３にセットし、その時刻の計時を継続させる。この状態において、リモコン３０を他の制御装置１０に向けて再び送信ボタン３１ｃを押すと、マイコン３５は、計時中の時刻（秒単位を含む）を時刻計数部１３から読み込んで、送受信部３３と対向する他の制御装置１０に送信し、現在時刻として計時させる。これにより、最初に時刻設定した制御装置１０と２台目の制御装置１０との時刻が一致するので、各制御装置１０に設定された同じ制御スケジュールを同時に実行することになる。
【００１４】
また、リモコン３０によって各制御装置１０に時刻を設定した後に、例えば項目ボタン３１ｅを操作して「８６」のコードを液晶表示部３２に表示し（図４（ａ）参照）、送信ボタン３１ｃを押すと、マイコン３５は、月毎に２秒ずつ進める補正データを送信対象の制御装置１０に送信し、また、項目ボタン３１ｅで「８７」のコードを液晶表示部３２に表示して（図４（ｂ）参照）、送信ボタン３１ｃを押すと、月毎に２秒ずつ遅らせる補正データを送信対象の制御装置１０に送信する。一方、「８６」のコードが設定された制御装置１０は、一ヶ月経過する毎に時刻を２秒進め、「８６」のコードが設定された制御装置１０は、一ヶ月経過する毎に時刻を２秒遅らせる。
【００１５】
以上のように本実施の形態によれば、リモコン３０で設定した時刻（秒単位を除く）を最初の制御装置１０に送信すると、その制御装置１０とリモコン３０とが同一時刻を現在時刻としてそれぞれ計時を開始し、最初の制御装置１０により計時されている時刻をリモコン３０で受信すると現在時刻として計時を継続し、この時刻を他の制御装置１０に送信して現在時刻として計時させるようにしたので、複数の制御装置１０に対して同一の時刻を容易に設定することができる。
【００１６】
また、制御装置１０により計時されている時刻をリモコン３０の液晶表示部３２に表示できるようにしたので、制御装置１０の時刻が進んでいるか遅れているかを確認することが可能になり、その時刻が進んでいる場合には一ヶ月毎に２秒ずつ遅れるように補正し、また、時刻が遅れ気味の場合には一ヶ月毎に２秒ずつ進むように補正できるようにしたので、制御装置１０に比較的精度の低い水晶発振子を用いてもその間の時刻誤差を極力抑えることができる。
【００１７】
なお、前記の実施の形態では、リモコン３０で設定した時刻（秒単位を除く）を最初の制御装置１０に送信して時刻を計時させ、他の制御装置１０に時刻を設定する際には、最初に設定した制御装置１０の時刻をリモコン３０で読み込んで、それを現在時刻として他の制御装置１０に設定するようにしたが、リモコン３０で設定した時刻（秒単位を除く）を最初の制御装置１０に送信した際に計時を開始した時刻を他の制御装置１０に設定するようにしてもよく、比較的短時間の間で多くの制御装置１０に同一の時刻を設定することができる。
【００１８】
また、時刻の補正として一ヶ月毎に２秒ずつ進めたり遅らせたりできるようにしたが、この時間に限定されることはなく、制御装置１０側の時刻計数部１３の計時状態に応じて任意に時間の補正をできるようにしてもよい。
【００１９】
また、リモコン３０で複数の制御装置１０にそれぞれ同一の時刻を設定するようにしたが、各制御装置１０に設けられた伝送Ｉ／Ｆ間を伝送線４０で接続しておき、最初の制御装置１０がリモコン３０からの秒単位を除く時刻を受信した際、その受信時刻を現在時刻としてゼロ秒から計時を開始すると共に、その現在時刻を隣接する他の制御装置１０に伝送線４０を介して送信するようにしてもよいし、また、秒単位を含む時刻が受信されたとき、その時刻を現在時刻として継続すると共に、その現在時刻を隣接する他の制御装置１０に伝送線４０を介して送信するようにしてもよい。このように構成した場合、作業者による時刻の設定が簡素化され、短時間の間でシステム上の多くの制御装置１０に同一の時刻を設定することができる。
【図面の簡単な説明】
【００２０】
【図１】本発明の実施の形態を示す設備機器制御システムの概略構成図である。
【図２】時刻設定時の時刻設定画面の一例を示す図である。
【図３】時刻受信時の時刻設定画面の一例を示す図である。
【図４】時刻補正時の時刻設定画面の一例を示す図である。
【符号の説明】
【００２１】
１０  制御装置、１１  伝送Ｉ／Ｆ、１２  送受信部、１３  時刻計数部、１４  照度センサ、１５  マイコン、２０  照明器具、３０  リモコン、３１  操作部、３２  液晶表示部、３３  送受信部、３４  時刻計数部、３５  マイコン。
【図１】
2006234717.tif 000003
【図２】
2006234717.tif 000004
【図３】
2006234717.tif 000005
【図４】
2006234717.tif 000006